(57)【要約】【課題】多重ディスプレイとタッチパネルとを組み合わせて使用する操作画面表示装置において、多重ディスプレイの各表示パネルに表示された操作画面に対する操作をスムーズに行うことができる操作画面表示装置を提供する。【解決手段】システムコントローラ１０は、ナビゲーション装置１１から出力された地図画像を後側の液晶パネル２１に表示し、ＣＤプレーヤの操作画面を前側の液晶パネル２２に表示する。液晶パネル２２の前面にはタッチパネル２３が配置されており、タッチパネルの前方には赤外線スイッチ２４が配置されている。システムコントローラ１０は、赤外線スイッチ２４によりタッチパネル２３への指の接近を検出してからタッチパネル２３に指が接触するまでの時間により、液晶パネル２１に表示された操作画面に対する操作か、液晶パネル２２に表示された操作画面に対する操作かを判断する。【選択図】  図１
2004246455.tif 000002
【特許請求の範囲】
【請求項１】
重ねて配置された第１及び第２の表示パネルと、
前記第１及び第２の表示パネルのうち前側に配置された表示パネルの前方に配置されたタッチパネルと、
前記タッチパネルへの操作体の接近を検出する操作体接近検出スイッチと、
１又は複数の機器に接続され、前記第１及び第２の表示パネルにそれぞれ異なる操作画面を表示する制御部とを有し、
前記制御部は、前記操作体接近検出スイッチによる操作体の接近を検出してから前記操作体が前記タッチパネルに接触するまでの時間に応じて、前記第１及び第２の表示パネルに表示された操作画面のうちのどちらの操作画面に対して操作が行われたかを判断することを特徴とする操作画面表示装置。
【請求項２】
重ねて配置された第１及び第２の表示パネルと、
前記第１及び第２の表示パネルのうち前側に配置された表示パネルの前面に配置されたタッチパネルと、
ユーザにより操作されるスイッチと、
１又は複数の機器に接続され、前記第１及び第２の表示パネルにそれぞれ異なる操作画面を表示する制御部とを有し、
前記制御部は、前記スイッチの出力がアクティブになってから所定の時間内に操作体が前記タッチパネルに接触したか、それ以外のときに前記操作体が前記タッチパネルに接触したかに応じて、前記第１及び第２の表示パネルに表示された操作画面のうちのどちらの操作画面に対して操作が行われたかを判断することを特徴とする操作画面表示装置。
【請求項３】
前記制御部は、前記スイッチがアクティブになると、前記第１及び第２の表示パネルに表示される操作画面を入れ替えることを特徴とする請求項２に記載の操作画面表示装置。
【請求項４】
前記タッチパネルがフォースフィードバック方式のタッチパネルであり、前記制御部は前記第１及び第２の表示パネルのうちのどちらの操作画面に対する操作かに応じて前記タッチパネルの振動パターンを変化させることを特徴とする請求項１又は２に記載の操作画面表示装置。
【請求項５】
前記制御部は、ナビゲーション装置及びＡＶ機器と接続され、前記第１及び第２の表示パネルの一方には前記ナビゲーション装置から出力される地図画像を表示し、他方には前記ＡＶ機器の操作画面を表示することを特徴とする請求項１又は２に記載の操作画面表示装置。
【発明の詳細な説明】
【０００１】
【発明の属する技術分野】
本発明は、タッチパネルを備えた操作画面表示装置に関し、例えば車載用ナビゲーション装置とＣＤプレーヤ、ＦＭ／ＡＭチューナ及びＴＶ（テレビ）チューナ等のＡＶ（Ａｕｄｉｏ−Ｖｉｓｕａｌ）機器とにより構成される車載用ナビゲーション・ＡＶシステムの表示装置として好適な操作画面表示装置に関する。
【０００２】
【従来の技術】
近年、車両にはラジオやＣＤプレーヤ等のオーディオ機器だけでなく、ナビゲーション装置やＴＶチューナ及びＤＶＤプレーヤ等の映像機器も搭載されるようになった。それに伴い、これらの機器が共通のバスラインで相互に接続されてシステム化され、共通の操作パネル（又はリモコン等）で操作できるようになった。以下、このように車載用ナビゲーション装置とＡＶ機器とがシステム化された装置を車載用ナビゲーション・ＡＶシステムと呼ぶ。
【０００３】
この種の車載用ナビゲーション・ＡＶシステムでは、通常、１つの表示装置にナビゲーション装置から出力される地図画像や、ＡＶ機器を操作するための操作画面を表示する。例えば、表示装置に車両の現在位置の周囲の地図画像を表示しているときにユーザが所定の操作を行うと、表示装置にＡＶ機器の操作画面が表示されて、ＡＶ機器の操作が可能になる。この場合に、地図画像に替えてＡＶ機器の操作画面を表示するものと、地図画像に重ねてＡＶ装置の操作画面を表示するものと、表示装置の画面を分割して一方の画面に地図画像を表示し、他方の画面にＡＶ機器の操作画面を表示するものとがある。
【０００４】
ところで、近年、車載用ナビゲーション・ＡＶシステムの入力装置として、直感的な操作が可能であることからタッチパネルが使用されるようになった。この種の車載用ナビゲーション・ＡＶシステムでは、表示装置に地図が表示されているときに画面（タッチパネル）に指を触れると、ナビゲーション装置に対する操作が行われる。例えば、地図上のランドマーク（アイコン）に指を触れるとメニュー画面が表示され、メニュー画面から所定の項目を選択することによって、当該ランドマークを目的地に設定したり、ランドマークの施設の名称、電話番号及びその他の詳細情報を表示させることができる。また、表示装置にＡＶ機器の操作画面が表示されているときに画面（タッチパネル）に指を触れると、ＡＶ機器に対する操作が行われる。例えば、ＣＤプレーヤの操作画面が表示されているときに画面上の操作ボタンに指を触れると、再生、停止、再生トラック変更及び音量調整等の操作を行うことができる。
【０００５】
【特許文献１】
特開２００２−２２９０５９号公報
【０００６】
【発明が解決しようとする課題】
前述したように、従来の車載用ナビゲーション・ＡＶシステムでは、表示装置に地図画像を表示しているときにＡＶ機器を操作する場合に、ＡＶ機器の操作画面に切替える方法と、地図画像にＡＶ機器の操作画面を重ねて表示する方法と、画面を分割して地図とＡＶ機器の操作画面の両方を表示する方法とがある。しかし、画面を切替える方法や地図画像にＡＶ機器の操作画面を重ねて表示する方法では、ＡＶ機器の操作画面を表示しているときには地図を見ることができないので、右左折すべき交差点がわからなくなって車両が誘導経路から外れてしまうという問題点がある。また、画面を分割して地図とＡＶ機器の操作画面とを両方同時に表示する方法では、表示範囲が縮小されてしまうので地図がわかりにくいという問題点がある。
【０００７】
このような問題点を解消するために、２枚の液晶パネルを重ね合わせて構成された多重ディスプレイを使用して、一方の液晶パネルにナビゲーション装置から出力される地図画像を表示し、他方の液晶パネルにＡＶ機器の操作画面を薄い色（半透過）で表示することが考えられる。しかし、この場合、タッチパネルではナビゲーション装置及びＡＶ機器のいずれか一方しか操作することができない。
【０００８】
以上から、本発明の目的は、多重ディスプレイとタッチパネルとを組み合わせて使用する操作画面表示装置において、多重ディスプレイの各表示パネルに表示された操作画面に対する操作をスムーズに行うことができる操作画面表示装置を提供することである。
【０００９】
【課題を解決するための手段】
上記した課題は、重ねて配置された第１及び第２の表示パネルと、前記第１及び第２の表示パネルのうち前側に配置された表示パネルの前方に配置されたタッチパネルと、前記タッチパネルへの操作体の接近を検出する操作体接近検出スイッチと、１又は複数の機器に接続され、前記第１及び第２の表示パネルにそれぞれ異なる操作画面を表示する制御部とを有し、前記制御部は、前記操作体接近検出スイッチによる操作体の接近を検出してから前記操作体が前記タッチパネルに接触するまでの時間に応じて、前記第１及び第２の表示パネルに表示された操作画面のうちのどちらの操作画面に対して操作が行われたかを判断することを特徴とする操作画面表示装置により解決する。
【００１０】
本発明においては、例えば特開２００２−２２９０５９号公報に記載されているような、複数の表示パネルを重ね合わせて構成した表示装置を使用する。また、表示パネルの前面にタッチパネルを配置するとともに、タッチパネルへの操作体（例えば、操作者の指）の接近を検出する操作体検出スイッチを設けておく。そして、制御部により、各表示パネルに異なる操作画面を表示し、操作体検出スイッチによる操作体の接近を検出してから操作体がタッチパネルに接触するまでの時間に応じて、どの操作画面に対する操作かを判断する。
【００１１】
例えば、操作体検出スイッチにより操作体の接近を検出してから操作体がタッチパネルに接触するまでの時間が所定の時間よりも短い場合は前側の表示パネルに表示されている操作画面に対する操作であると判断し、長い場合は後側の表示パネルに表示されている操作画面に対する操作であると判断する。これにより、複数の表示パネルに表示された異なる操作画面に対する操作をスムーズに行うことができる。
【００１２】
また、上記した課題は、重ねて配置された第１及び第２の表示パネルと、前記第１及び第２の表示パネルのうち前側に配置された表示パネルの前面に配置されたタッチパネルと、ユーザにより操作されるスイッチと、１又は複数の機器に接続され、前記第１及び第２の表示パネルにそれぞれ異なる操作画面を表示する制御部とを有し、前記制御部は、前記スイッチの出力がアクティブになってから所定の時間内に操作体が前記タッチパネルに接触したか、それ以外のときに前記操作体が前記タッチパネルに接触したかに応じて、前記第１及び第２の表示パネルに表示された操作画面のうちのどちらの操作画面に対して操作が行われたかを判断することを特徴とする操作画面表示装置により解決する。
【００１３】
本発明においては、表示パネルの前面にタッチパネルを配置するとともに、ユーザにより操作されるスイッチを設けておく。そして、制御部により、各表示パネルに操作画面を表示し、スイッチの出力がアクティブ（ユーザによりスイッチの操作が行われた状態）になってから所定の時間内に操作体がタッチパネルに接触したか、又はそれ以外のときに操作体がタッチパネルに接触したかに応じて、どの操作画面に対する操作かを判断する。これにより、複数の表示パネルに表示された異なる操作画面に対する操作をスムーズに行うことができる。
【００１４】
【発明の実施の形態】
以下、本発明の実施の形態について、添付の図面を参照して説明する。
【００１５】
（第１の実施の形態）
図１は、本発明の第１の実施の形態の操作画面表示装置を示すブロック図である。なお、本実施の形態は、本発明を車載用ナビゲーション・ＡＶシステムに適用した例を示している。
【００１６】
本実施の形態の車載用ナビゲーション・ＡＶシステムは、システムコントローラ（制御部）１０、ナビゲーション装置１１、ＣＤプレーヤ１２、ＦＭ／ＡＭチューナ１３、ＴＶチューナ１４、アンプ１５及び表示装置２０により構成されている。システムコントローラ１０、ナビゲーション装置１１、ＣＤプレーヤ１２、ＦＭ／ＡＭチューナ１３、ＴＶチューナ１４及びアンプ１５は、共通バスライン１６により相互に接続されており、この共通バスライン１６を介して種々の信号が相互に伝達される。また、ナビゲーション装置１１、ＣＤプレーヤ１２、ＦＭ／ＡＭチューナ１３及びＴＶチューナ１４から出力されるオーディオ信号は、オーディオバスライン１７を介してアンプ１５に入力され、アンプ１５内で信号処理された後にスピーカー（図示せず）に出力されるようになっている。
【００１７】
ナビゲーション装置１１はＧＰＳ（Ｇｌｏｂａｌ  Ｐｏｓｉｔｉｏｎｉｎｇ  Ｓｙｓｔｅｍ  ）受信器、速度センサ及びジャイロ等により車両の現在位置を検出し、ＤＶＤ等の地図データを記憶した地図データ記憶装置から車両の周囲の地図データを読み出して地図画像を描画し、共通バスライン１６を介してシステムコントローラ１０に画像データ（表示信号）を送信する。また、ナビゲーション装置１１は、共通バスライン１６を介してシステムコントローラ１０から制御信号（コマンド）を入力し、制御信号に応じた動作を実行する。
【００１８】
ＣＤプレーヤ１２、ＦＭ／ＡＭチューナ１３、ＴＶチューナ１４及びアンプ１５も、共通バスライン１６を介してシステムコントローラ１０から制御信号を入力し、制御信号に応じた動作を実行する。
【００１９】
なお、共通バスライン１６には、上述した機器の他にも、ＭＤプレーヤ及びＤＶＤプレーヤ等のＡＶ機器を接続することが可能である。
【００２０】
表示装置２０は、重ね合わせて配置された第１及び第２の液晶パネル２１，２２と、タッチパネル２３及び赤外線スイッチ２４とにより構成されている。２枚の液晶パネルを重ね合わせて配置したディスプレイには、例えばＤＶＩ（Ｄｅｅｐ  Ｖｉｄｅｏ  Ｉｍａｇｉｎｇ）社のＭＬＤ（Ｍｕｌｔｉ−Ｌａｙｅｒｅｄ  Ｄｉｓｐｌａｙ  ）がある。このＭＬＤは、２枚の液晶パネルの間に特殊なレンズを配置して立体的な表示を可能としたものであり、表示装置２０にはこの種の立体的な表示が可能な多層ディスプレイを使用することが好ましい。
【００２１】
図２に示すように、タッチパネル２３は、前側（ユーザ側）の第２の液晶パネル２２の前面に配置されている。また、赤外線スイッチ２４を構成する発光部２４ａ及び受光部２４ｂは、タッチパネル２３よりも手前の位置に上下方向に離れて配置されている。表示装置２０を構成するこれらの第１及び第２の液晶パネル２１，２２、タッチパネル２３並びに赤外線スイッチ２４は、いずれもシステムコントローラ１０に接続されている。
【００２２】
上述した車載用ナビゲーション・ＡＶシステムの操作画面表示時の動作について、図３に示すフローチャートを参照して説明する。なお、ここでは、ナビゲーション装置１１及びＣＤプレーヤ１２が動作しており、ＦＭ／ＡＭチューナ１３及びＴＶチューナ１４は動作していないものとする。
【００２３】
まず、ステップＳ１１において、システムコントローラ１０はナビゲーション装置１１から共通バスライン１６を介して地図画像の画像データを入力し、この画像データを表示装置２０の第１の液晶パネル２１に伝達する。これにより、第１の液晶パネル２１には地図画像が表示される。図４（ａ）に、液晶パネル２１に表示される地図画像の例を示す。図４（ａ）では、地図画像上に駐車場及びガソリンスタンド等の位置を示すランドマークと、車両の現在位置を示す車両位置マークとが表示されている。
【００２４】
また、システムコントローラ１０は、ＣＤプレーヤ１２から動作状態を示す信号（停止状態か再生状態か、再生状態の場合は再生中のトラック番号及び再生時間などを示す信号）を入力し、第２の液晶パネル２２にＣＤプレーヤの操作画面を表示する。このとき、ＣＤプレーヤの操作画面の表示色を薄く（半透明）表示する。図４（ｂ）に、液晶パネル２２に表示されるＣＤプレーヤの操作画面の例を示す。図４（ｂ）では、再生／一時停止ボタン、停止ボタン、トラックアップボタン、トラックダウンボタン及び音量調整ボタン等の操作ボタンと、ＣＤ番号、トラック番号及び再生時間等を示す状態表示部とが表示されている。ユーザには、図４（ｃ）に示すように、地図画像とＣＤプレーヤの操作画面とが重なって見える。但し、本実施の形態では、ＣＤプレーヤの操作画面を薄い色で表示しているので、地図画像の視認性が大きく損なわれることはない。
【００２５】
次に、ステップＳ１２に移行し、システムコントローラ１０は赤外線スイッチ２４の受光部２４ｂからの信号に応じて、赤外光が遮断されたか否かを判定する。例えば、図２に示すようにタッチパネル２３に触れようとしてユーザの指が発光部２４ａから出射された赤外光を遮断すると、受光部２４ｂからシステムコントローラ１０に所定の信号が出力される。これにより、ステップＳ１２からステップＳ１３に移行する。
【００２６】
ステップＳ１３では、システムコントローラ１０により時間の計測が開始される。その後、ステップＳ１４に移行して、システムコントローラ１０は、ユーザの指がタッチパネル２３に触れたか否かを監視する。ユーザの指がタッチパネル２３に触れると、タッチパネル２３から接触位置に応じた信号がシステムコントローラ１０に出力される。これにより、ステップＳ１５に移行し、システムコントローラ１０は時間の計測を終了する。
【００２７】
その後、ステップＳ１６に移行し、ユーザの指が赤外光を遮ってからタッチパネル２３に接触するまでの時間が予め設定された時間（例えば、１秒）以内であるか否かを判定する。この時間が予め設定された時間よりも短い場合、システムコントローラ１０はユーザが前側の第２の液晶パネル２２に表示されたＣＤプレーヤの操作画面に対する操作を行ったものと判断して、ステップＳ１７に移行する。ステップＳ１７では、タッチパネル２３から出力された接触位置を示す信号によりユーザがタッチした操作ボタンが判断される。例えば、トラックアップボタン又はトラックダウンボタンにユーザの指が触れたときは、現在再生中のトラック（曲）よりも前のトラック又は後のトラックの再生を開始する。また、音量アップボタン又は音量ダウンボタンにユーザの指が触れたときは、音量をアップ又はダウンする。なお、操作画面の操作ボタン以外の部分にユーザの指が触れたときは、システムコントローラ１０は誤操作と判断して何も動作を行わない。
【００２８】
一方、ステップＳ１６において、ユーザの指が赤外光を遮ってからタッチパネル２３に接触するまでの時間が予め設定された時間よりも長い場合、システムコントローラ１０はユーザが後側の第１の液晶パネル２１に表示された操作画面に対する操作（ナビゲーション装置１１に対する操作）が行われたものと判断して、ステップＳ１８に移行する。例えば、ユーザの指が地図画像に表示されているランドマーク（アイコン）に触れると、図５に示すようなメニューが表示され、ランドマークの施設を目的地や経由地に設定したり、地点登録したり、施設の詳細な情報（名称、住所及び電話番号等）を表示することができる。
【００２９】
本実施の形態では、ユーザの指が赤外光を遮断してからタッチパネル２３に触れるまでの時間によって、ユーザがナビゲーション装置１１に対する操作を行ったのか、ＣＤプレーヤ１２に対する操作を行ったのかを判断する。つまり、ユーザがタッチパネル２３に素早く指を近付けたときにはＣＤプレーヤ１２に対する操作を行うことができ、ゆっくり指を近付けたときにはナビゲーション装置１１に対する操作を行うことができる。このように、本実施の形態では、２枚の液晶パネル２１，２２にそれぞれ表示された異なる操作画面に対する操作をスムーズに行うことができる。
【００３０】
なお、上記実施の形態とは逆に、タッチパネル２３に素早く指を近付けたときにナビゲーション装置１１に対する操作が可能になり、ゆっくり近付けたときにＣＤプレーヤ１２（又は、その他のＡＶ機器）に対する操作が行われるようにしてもよい。この場合に、通常は第２の液晶パネル２２に何も表示せず、タッチパネル２３にゆっくり指を近付けたときだけ第２の液晶パネル２２にＣＤプレーヤの操作画面を表示するようにしてもよい。
【００３１】
また、タッチパネル２３として、フォースフィードバック方式のタッチパネル（ＳＭＫ株式会社製）を使用し、前側の操作画面に対するタッチ感と後側の操作画面に対するタッチ感とを異なるようにしてもよい。例えば、前側の操作画面に対するタッチ感をクリック感覚とし、後側の操作画面に対するタッチ感を振動感覚とする。これにより、ユーザはどちらの操作画面に対する操作を行っているのかが直感的にわかるようになり、操作性がより一層向上する。
【００３２】
上記の第１の実施の形態では、タッチパネル２３への指の接近を赤外線スイッチ２４により検出するものとしたが、容量検出式近接スイッチ又はその他の方式の近接スイッチを使用してもよい。
【００３３】
（第２の実施の形態）
図６は、本発明の第２の実施の形態の操作画面表示装置を示すブロック図である。なお、本実施の形態においても、本発明を車載用ナビゲーション・ＡＶシステムに適用した例を示している。また、本実施の形態が第１の実施の形態と異なる点は、システムコントローラ１０に信号切替部１０ａが設けられていることと、赤外線スイッチ２４の配置されている位置が異なることとにあり、その他の構成は基本的に第１の実施の形態と同様であるので、図６において図１と同一物には同一符号を付して、その詳しい説明は省略する。
【００３４】
本発明においては、システムコントローラ１０に、第１の液晶パネル２１と第２の液晶パネル２２とに供給する画像データを入れ替える信号切替部１０ａが設けられている。また、図７に示すように、赤外線スイッチ２４を構成する発光部２６ａ及び受光部２６ｂは、表示装置２０の前面の左下部に、指が通る分の距離だけ離れて配置されている。
【００３５】
図８は上述した車載用ナビゲーション・ＡＶシステムの操作画面表示時の動作を示すフローチャートである。なお、ここでは、ナビゲーション装置１１及びＣＤプレーヤ１２が動作しており、ＦＭ／ＡＭチューナ１３及びＴＶチューナ１４は動作していないものとする。
【００３６】
まず、ステップＳ２１において、システムコントローラ１０はナビゲーション装置１１から出力された地図画像の画像データを表示装置２０の第１の液晶パネル２１に伝達する。これにより、第１の液晶パネル２１には地図画像が表示される。また、システムコントローラ１０は、ＣＤプレーヤ１２から動作状態を示す信号を入力し、第２の液晶パネル２２にＣＤプレーヤの操作画面を表示する。
【００３７】
次に、ステップＳ２２に移行し、システムコントローラ１０は赤外線スイッチ２４の受光部２６ｂからの信号に応じて、赤外光が遮断されたか否かを判定する。赤外光が遮断されていないと判定したときはステップＳ２３に移行し、赤外光が遮断されたと判定したときはステップＳ２５に移行する。
【００３８】
ステップＳ２３において、システムコントローラ１０は、タッチパネル２３の出力に基づいて、ユーザがタッチパネル２３に触れたか否かを判定し、触れていないと判定した場合はステップＳ２２に戻る。
【００３９】
一方、ステップＳ２３でユーザがタッチパネル２３に触れたと判定したときは、ユーザがＣＤプレーヤの操作画面に対する操作を行ったものと判断して、ステップＳ２４に移行する。
【００４０】
ステップＳ２４において、システムコントローラ１０は、タッチパネル２３から出力された接触位置を示す信号により、ユーザがタッチした操作ボタンを判定する。そして、システムコントローラ１０は、ユーザがタッチした操作ボタンに応じたコマンドをＣＤプレーヤ１２に出力し、ＣＤプレーヤ１２はシステムコントローラ１０から入力したコマンドに応じた動作を実行する。
【００４１】
一方、ステップＳ２２において、例えば、ユーザが発光部２６ａと受光部２６ｂとの間に指を通過させた場合、指により赤外光が遮断されるので、ステップＳ２５に移行する。そして、ステップＳ２５において、システムコントローラ１０は信号切替部１０ａを制御して、液晶パネル２１に出力する画像データと液晶パネル２２に出力する画像データとを入れ替える。これにより、地図画像が前側の第２の液晶パネル２２に表示され、ＣＤプレーヤの操作画面が後側の第１の液晶パネル２１に表示される。
【００４２】
その後、ステップＳ２６に移行し、システムコントローラ１０は、タッチパネル２２からの出力を監視して、赤外光が遮断されてから所定の時間（例えば、５秒以内）内にユーザの指がタッチパネル２３に触れたか否かを判定する。そして、タッチパネルに触れていないと判定したときはステップＳ２７に移行する。ステップＳ２７において、システムコントローラ１０は信号切替部１０ａを制御して、液晶パネル２１に出力する画像データと液晶パネル２２に出力する画像データとを元に戻す。これにより、地図画像が後側の第１の液晶パネル２１に表示され、ＣＤプレーヤの操作画面が前側の第２の液晶パネル２２に表示される。その後、ステップＳ２２に戻り、処理を継続する。
【００４３】
一方、ステップＳ２６でシステムコントローラ１０が赤外光が遮断されてから所定の時間内にユーザがタッチパネル２３に触れたと判定したときは、ユーザがナビゲーション装置に対する操作を行ったものと判断して、ステップＳ２８に移行する。ステップＳ２８では、システムコントローラ１０は、タッチパネル２３から出力された信号により接触位置を判定する。そして、例えばユーザがランドマークに触れたと判定したときには、図５に示すようなメニューを表示する。このメニューでは、ランドマークの施設を目的地や経由地に設定したり、施設の詳細な情報（名称、住所及び電話番号等）を表示することができる。
【００４４】
その後、ステップＳ２９に移行し、システムコントローラ１０は信号切替部１０ａを制御して液晶パネル２１に出力する画像データと液晶パネル２２に出力する画像データとを元に戻す。これにより、地図画像が後側の第１の液晶パネル２１に表示され、ＣＤプレーヤの操作画面が前側の第２の液晶パネル２２に表示される。
【００４５】
本実施の形態では、ユーザが発光部２６ａと受光部２６ｂとの間に指を通過させたときにはナビゲーション装置１１に対する操作を行うものと判断し、ナビゲーション装置２１で生成された地図画像を前面の第２の液晶パネル２２に表示する。また、ユーザが発光部２６ａと受光部２６ｂとの間に指を通過させることなく、直接タッチパネル２３に触れたときには、ＣＤプレーヤ１２に対する操作を行うものと判断する。このように、ユーザが発光部２６ａと受光部２６ｂとの間に指を通過させたか否かにより、ユーザがナビゲーション装置１１を操作するのかＣＤプレーヤ１２を操作するのかを判断する。
【００４６】
本実施の形態においても、第１の実施の形態と同様に、２枚の液晶パネル２１，２２に表示された異なる操作画面に対する操作をスムーズに行うことができる。また、本実施の形態においては、前側の液晶パネル２２に表示された操作画面に対し操作を行うので、ユーザはナビゲーション装置１１に対し操作を行っているのか、ＣＤプレーヤ１２に対し操作を行っているのかを目視により確認することができる。
【００４７】
本実施の形態においても、フォースフィードバック方式のタッチパネルを使用して、ナビゲーション装置に対し操作を行ったときとＡＶ機器に対し操作を行ったときとでタッチ感覚を変えることが好ましい。これにより、ユーザはどちらの操作画面に対する操作を行っているのかを直感的に認識することができる。
【００４８】
本実施の形態において、赤外線スイッチ２４の替わりに他の方式のスイッチを使用してもよい。例えば、音声スイッチを使用し、ユーザが所定の音声を発したときにシステムコントローラ１０はＣＤプレーヤ１２の操作が行われると判定するようにしてもよい。
【００４９】
なお、第１及び第２の実施の形態ではいずれも本発明を車載用ナビゲーション・ＡＶシステムに適用した場合ついて説明したが、本発明はこれに限定するものではなく、他のシステム又は装置に適用することも可能である。
【００５０】
【発明の効果】
以上説明したように、本発明の操作画面表示装置は、重ね合わせて配置された第１及び第２の表示パネルと、前側の表示パネルの前面に配置されたタッチパネルと、タッチパネルへの操作体の接近を検出する操作体接近検出スイッチとを有している。そして、制御部により、各表示パネルに異なる操作画面を表示し、操作体検出スイッチによる操作体の接近を検出してから操作体がタッチパネルに接触するまでの時間に応じて、どの操作体に対する操作なのかを判断する。これにより、複数の表示パネルに表示された操作画面に対する操作をスムーズに行うことができる。
【００５１】
また、本発明の他の操作画面表示装置は、重ね合わせて配置された第１及び第２の表示パネルと、前側の表示パネルの前面に配置されたタッチパネルと、ユーザにより操作されるスイッチとを有している。そして、制御部により、スイッチの出力がアクティブになってから所定の時間内に操作体がタッチパネルに接触したか、又はそれ以外のときに操作体がタッチパネルに接触したのかに応じて、どの操作体に対する操作なのかを判断する。これにより、複数の表示パネルに表示された操作画面に対する操作をスムーズに行うことができる。
【図面の簡単な説明】
【図１】図１は、本発明の第１の実施の形態の操作画面表示装置を示すブロック図である。
【図２】図２は、表示装置の構造を示す模式図である。
【図３】図３は、第１の実施の形態の車載用ナビゲーション・ＡＶシステムの操作画面表示時の動作を示すフローチャートである。
【図４】図４（ａ）は第１の液晶パネルに表示される地図画像の例を示す図、図４（ｂ）には第２の液晶パネルに表示されるＣＤプレーヤの操作画面の例を示す図、図４（ｃ）はユーザに見える画面を示す図である。
【図５】図５は、ナビゲーション装置の操作を行ったときに表示される画面の例を示す図である。
【図６】図６は、本発明の第２の実施の形態の操作画面表示装置を示すブロック図である。
【図７】図７は、第２の実施の形態における表示装置の斜視図である。
【図８】図８は、第２の実施の形態の車載用ナビゲーション・ＡＶシステムの操作画面表示時の動作を示すフローチャートである。
【符号の説明】
１０…システムコントローラ、
１０ａ…信号切替部、
１１…ナビゲーション装置、
１２…ＣＤプレーヤ、
１３…ＦＭ／ＡＭチューナ、
１４…ＴＶチューナ、
１５…アンプ、
２０…表示装置、
２１…第１の液晶パネル、
２２…第２の液晶パネル、
２３…タッチパネル、
２４…赤外線スイッチ、
２４ａ，２６ａ…発光部、
２４ｂ，２６ｂ…受光部。
【図１】
2004246455.tif 000003
【図２】
2004246455.tif 000004
【図３】
2004246455.tif 000005
【図４】
2004246455.tif 000006
【図５】
2004246455.tif 000007
【図６】
2004246455.tif 000008
【図７】
2004246455.tif 000009
【図８】
2004246455.tif 000010